(57)【要約】【課題】穀粒乾燥機においては、遠赤外線放射体の上方に設ける覆いカバーの形状等が山型の形状であることで、それらの上部に穀粒が残存せず特段のメンテナンスの必要がないと考えられていた。しかし穀粒乾燥機を使用した後、わらくず等がそれら山型形状の上部のうち特に排風排出室に近い部分において堆積量が多くなるという問題があった。【解決手段】熱風室（１１）又は集穀部（４）の少なくとも一方に備えた遠赤外線放射体（３２）の上方に山型に形成する覆いカバー（３３）を設け、この覆いカバー（３３）に沿ってスライド動作可能に山型スクレーパ（２２）を設けたことを特徴とする穀粒乾燥機により上記問題を解決した。【選択図】図２
2013120016.tif 000002
【特許請求の範囲】
【請求項１】
張込穀粒を貯留する貯留部（２）と、
この貯留部（２）から穀粒を流下しつつ熱風乾燥する乾燥部（３）と、
この乾燥部（３）から流下した穀粒を集積する集穀部（４）とを順次上から重ねて配置し、
その集穀部（４）から前記貯留部（２）に穀粒を搬送するエレベータ部（５）を備えた穀粒乾燥機において、
前記乾燥部（３）には、熱風供給部（６）から熱風を受ける熱風室（１１）と、熱風を排出側に案内する排風室（１２）と、を設け、
前記熱風室（１１）又は集穀部（４）の少なくとも一方に遠赤外線放射体（３２）を備え、
この遠赤外線放射体（３２）上方に山型に形成する覆いカバー（３３）を設け、
この覆いカバー（３３）に沿ってスライド動作可能に山型スクレーパ（２２）を設けたことを特徴とする穀粒乾燥機。
【請求項２】
前記山型スクレーパ（２２）をスライド動作させることが可能な電動モータ（４０）を乾燥機機枠側に設け、
穀粒乾燥工程が、張込・乾燥・排出の各工程を含み、それらを順に行うものであり、
かつ、この排出工程と連動して、
前記山型スクレーパ（２２）をスライド動作させることを特徴とする請求項１に記載の穀粒乾燥機。
【請求項３】
前記穀粒乾燥工程の張込工程と連動して、
前記山型スクレーパ（２２）をスライド動作させることを特徴とする請求項１又は請求項２のいずれかに記載の穀粒乾燥機。
【発明の詳細な説明】
【技術分野】
【０００１】
本発明は、穀粒を循環しながら乾燥する穀粒乾燥機に関するものである。
【背景技術】
【０００２】
従来、穀粒を比較的短時間で、確実かつ均一に乾燥することのできる穀粒循環型の穀粒乾燥機は、張込み穀粒を受ける貯留部と、この貯留部から穀粒を流下しつつ熱風乾燥する乾燥部と、その乾燥部から流下した穀粒を集積する集穀部とを順次上から重ねて配置し、乾燥部の前面位置には、穀粒を集穀部から貯留部上部に搬送するエレベータ部及びバーナーによる熱風供給部を備え、後面位置には排風ファンを含む排風排出部を備える。そして熱風による乾燥手段に加えて集穀部などに遠赤外線放射体を用いる構成を採用する（特許文献１、特許文献２）。
【０００３】
特許文献１の図１には、遠赤外線放射体の上方に山型の覆いカバーを設け、その覆いカバーによって、放射体への上方からの塵埃の落下を防止することが記載されている。また特許文献２に記載の穀粒乾燥機の乾燥部には、乾燥部の前面から背面に達する筒状体の熱風室及び排風室を対向して設け、これら筒状体は、貯留部からの穀粒の流下を容易にするようにその分岐頂部、即ちその筒状体の軸線に垂直な断面の頂部形状が山型になるように構成している。
【先行技術文献】
【特許文献】
【０００４】
【特許文献１】特許第４３０１０１８号
【特許文献２】特開平９−１１３１４０
【発明の概要】
【発明が解決しようとする課題】
【０００５】
遠赤外線放射体の上方に設ける覆いカバーの形状、あるいは熱風室等の筒状体の頂部形状が、山型の形状であることで、それらの上部に穀粒が残存せず特段のメンテナンスの必要がないと考えられていた。
しかし、コンバインにより収穫された穀粒には、わらくずなどが含まれており、穀粒乾燥機を使用した後、それらが山型形状をしている覆いカバーや筒状体の上部に堆積したままになっていることがある。特に乾燥部の背面位置に排風ファンを設け、熱風が前面から背面に向けて流れることから背面位置に近い部分において堆積しやすいという問題があった。
【課題を解決するための手段】
【０００６】
本発明は、上記課題を解決すべく次のような技術的手段を講じた。
すなわち、請求項１記載の発明は、張込穀粒を貯留する貯留部（２）と、この貯留部（２）から穀粒を流下しつつ熱風乾燥する乾燥部（３）と、この乾燥部（３）から流下した穀粒を集積する集穀部（４）とを順次上から重ねて配置し、その集穀部（４）から前記貯留部（２）に穀粒を搬送するエレベータ部（５）を備えた穀粒乾燥機において、前記乾燥部（３）には、熱風供給部（６）から熱風を受ける熱風室（１１）と、熱風を排出側に案内する排風室（１２）と、を設け、前記熱風室（１１）又は集穀部（４）の少なくとも一方に遠赤外線放射体（３２）を備え、この遠赤外線放射体（３２）上方に山型に形成する覆いカバー（３３）を設け、この覆いカバー（３３）に沿ってスライド動作可能に山型スクレーパ（２２）を設けたことを特徴とする穀粒乾燥機である。
【０００７】
また、請求項２記載の発明は、前記山型スクレーパ（２２）をスライド動作させることが可能な電動モータ（４０）を乾燥機機枠側に設け、穀粒乾燥工程が、張込・乾燥・排出の各工程を含み、それらを順に行うものであり、かつ、この排出工程と連動して、前記山型スクレーパ（２２）をスライド動作させることを特徴とする請求項１に記載の穀粒乾燥機である。
【０００８】
また、請求項３記載の発明は、前記穀粒乾燥工程の張込工程と連動して、前記山型スクレーパ（２２）をスライド動作させることを特徴とする請求項１又は請求項２のいずれかに記載の穀粒乾燥機である。
【発明の効果】
【０００９】
請求項１記載の発明によれば、熱風室１１又は集穀部４の少なくとも一方に遠赤外線放射体３２を備え、この遠赤外線放射体３２の上方には山型に形成する覆いカバー３３を設け、この覆いカバー３３に沿ってスライド動作可能とする山型スクレーパ２２を設けたことで、覆いカバーに堆積するわらくずなどの堆積物を除去することができる。
【００１０】
請求項２記載の発明によれば、電動モータを機枠側に設け、穀粒乾燥機の排出工程と連動して山型スクレーパをスライド動作させることにより、乾燥作業の最中に堆積したわらくず等を乾燥作業終了後に除去し、それらが残存することを防止できる。
【００１１】
請求項３記載の発明によれば、穀粒乾燥機の張込工程と連動して山型スクレーパをスライド動作させることにより、前回の乾燥作業以降に堆積したわらくず等を乾燥作業に移行する前に除去することができ円滑な乾燥作業を行うことができる。
【図面の簡単な説明】
【００１２】
【図１】本発明に係る穀粒乾燥機の第一実施形態の側断面図である。
【図２】図１の穀粒乾燥機の正面断面図である。
【図３】覆いカバーとスクレーパの側面図である。
【図４】覆いカバーとスクレーパの断面図である。
【図５】覆いカバーとスクレーパの側面方向からの部分拡大図である。
【図６】電動モータ周辺の側面方向の部分拡大図である。
【図７】電動モータの正面方向の部分拡大図である。
【図８】穀粒乾燥機の第二実施形態の側断面図である。
【図９】図８の穀粒乾燥機の正面断面図である。
【図１０】図８の穀物乾燥機の乾燥部の内部構成を説明する透視斜視図である。
【図１１】図８の穀粒乾燥機の正面図の部分拡大図である。
【図１２】穀粒乾燥機の清掃機構を示した斜視図である。
【図１３】図１２の清掃機構の動作説明図である。
【図１４】穀粒乾燥機移動用キャスター固定部分の拡大図である。
【発明を実施するための形態】
【００１３】
上記技術思想に基づいて具体的に構成された実施の形態について以下に図面を参照しつ
つ説明する。
【００１４】
図１は第一実施形態における穀粒乾燥機の側断面図であり、図２は正面断面図である。穀物乾燥機１は、コンバイン等で脱穀した穀粒を張り込み、貯留する貯留部２と、その貯留部２から穀粒を流下しつつ熱風乾燥する乾燥部３と、その乾燥部３から流下した穀粒を集積して再度貯留部２に移送するための集穀部４とを順次上から重ねて配置した構造としている。乾燥部３の穀粒出口には回転しながら所定量の穀物を流下させるロータリーバルブ１０を備え、その繰出し穀粒を乾燥部３からエレベータ部５に送る集穀部４の下部移送装置９に受け、エレベータ部５の上部側に接続する上部移送装置８で貯留室２の拡散盤１４に供給することにより、張込み穀粒が貯留室２の全面に均一に堆積貯留される。乾燥部３の前面位置には外気を加熱するバーナー６ａを備えて熱風を熱風室１１に供給する熱風供給部６を配置し、背面位置には排風室１２から排風を吸引排出する排風ファン７ａを備える排風排出部７を配置する。
【００１５】
図２に示すように本実施形態においては、穀粒の流れを滑らかにするように筒状体である熱風室１１の上部の形態を左右の傾斜面による山型形状の分岐頂部１１ａに形成すると共に、排風室１２を左右一対設ける構成とし、貯留部２から左右に分岐するそれぞれの穀粒流下通路１３に穀粒が分かれて流下する。
【００１６】
乾燥部３については、上端部を貯留部２と連通した複数の穀粒流下通路１３を設け、その下方においてはそれらの穀粒流下通路１３を挟むように、中央の熱風室１１の左右に排風室１２を形成する。熱風室１１と排風室１２とに挟まれた部分の穀粒流下通路１３は、熱風が透過可能な金網材構成の穀粒通路であり、両下端部をロータリーバルブ１０に合流して下方の集穀部４に臨む。
【００１７】
第一実施形態の穀粒乾燥機は遠赤外線放射体３２を備える。本実施の形態の遠赤外線放射体３２は集穀室部４に備え、この遠赤外線放射体３２の上方には山型の覆いカバー３３を設けている。この山型の覆いカバー３３は、筒状の熱風室１１の上部の形態と近似し、熱風室の軸線と平行な軸線を有する。覆いカバー３３は穀粒流下通路１３の金網材を通過して落下したわらくず等が高温の遠赤外線放射体３２に落下するのを防止するためのものである。この実施の形態では、山型スクレーパ２２を覆いカバー３３に重ね合わせ、覆いカバー上でその軸方向にスライドする構成とすることで、覆いカバー３３に堆積するわらくずを除去することができる。また山型スクレーパ２２上への堆積物も、山型スクレーパ２２を動作させることにより除去することができる。
【００１８】
山型スクレーパ２２について図３から図７を用いて詳細に説明する。
山型スクレーパ２２は覆いカバー３３の上に、乾燥部３の背面板３ｂの内壁にその一方の端部が接するように設置する。山型スクレーパ２２の前後の長さは、乾燥部３の前面板３ａと背面板３ｂの距離の１／３から１／２である。山型スクレーパ２２は、その覆いカバー３３の軸線方向に一以上の切欠によるスクレーパ部２２ａを有するようにする。この切欠によるスクレーパ部２２ａは、わらくず等が最も堆積する山型の頂部を切り欠いて穴部をなしており、本実施形態においては側面方向から見たときに方形の穴形状としている。穴の形状は本実施例におけるような方形に限定されるものではないが、山型スクレーパ２２は分岐頂部１１ａの頂上部の堆積物を除去する必要があることから、頂上部に当たる穴部の軸線方向の寸法は、山型スクレーパ２２のスライド動作の動作量Ｌより小さくする必要がある。このような構成とすることにより、山型スクレーパ２２頂上部にあるスクレーパ部２２ａのスライド方向への長さとほぼ同等の短いスライド距離Ｌを動作させるだけで、広範囲に亘る堆積物を除去することができる。
【００１９】
本実施形態における山型スクレーパ２２は、覆いカバー３３と頂部を構成する角度がほぼ同じようになるように鋼板を曲げて製作し、覆いカバー３３に設けた長穴３１を通して、連結部材の一つであるスクレーパサポート２３とボルト３０で結合する。即ちスクレーパサポート２３は、山型スクレーパ２２の両下端の間の連結部材を構成する。このように固定されることにより、山型スクレーパ２２をスライドさせるときに山型スクレーパ２２が持ち上がることがなくなり、山型スクレーパ２２と覆いカバー３３の間に穀粒等が入り込むことを防止できると共に、わらくずなどの堆積物を適切に取り除くことができる。また山型スクレーパ２２の頂部の形状を長期に亘って維持することができる。上記の長穴３１は計４箇所設け、スクレーパサポート２３は山型スクレーパ２２の軸方向に２本設置する。長穴３１の長さは、山型スクレーパ２２がスライド距離Ｌを動作可能とするように確保する。山型スクレーパ２２でなく、覆いカバー３３に長穴３１を設けていることにより、穀粒がその穴部に直接望むことが無くなり、穀粒がその部分に残存することは無い。また、覆いカバー３３と山型スクレーパ２２の間にはシム２８を挟み込み、山型スクレーパ２２がスライドする際に働く摩擦力を小さなものとしている。
【００２０】
山型スクレーパ２２をスライドさせるために、二本設けたスクレーパサポート２３の内、乾燥部３の前面に近い側に設けたスクレーパサポート２３の中央のケーブル連結部２９に連結部材の一つであるケーブル２４の一端を取り付け、乾燥部３の前面板３ａよりケーブル２４を取り出し、Ｌ型結合ロッド４３に連結する。もう一本の乾燥部３の背面に近いスクレーパサポート２３は、背面板３ｂの内壁とスプリング２７により連結する。山型スクレーパ２２が初期位置にあるとき、スプリング２７は初期長さであり、山型スクレーパ２２を動作させたときに、山型スクレーパ２２を初期位置に戻すような引張力が働くようにする。
【００２１】
山型スクレーパ２２をスライド動作させるために減速機付き電動モータ４０を乾燥機機側である操作盤３４の内部に設ける。この電動モータ４０からの出力軸には、中心部に嵌めあい穴を設けた二枚の円板４１を嵌合し、それら二枚の円板４１の間隔がＬ型結合ロッド４３の径より若干広くなるように固定する。それら二枚の円板４１の外周に近い位置に二本のスペーサピン４２を同半径位置で設け、このスペーサピン４２の一つにＬ型結合ロッド４３がかみ合うようにする。このスペーサピン４２を勘合するために二枚の円板４１に設けたピン穴は、スペーサピン４２が自由に回転できる程度のスキマを有する。なお電動モータを乾燥機本体の機外である操作盤３４の内部に設けたが、乾燥機本体の機内に設置することも可能である。
【００２２】
第一実施形態では、山型スクレーパ２２の動作は以下のように行われる。
一つ目は操作盤３４の「排出」ボタンを押し、排出作業をするときに行われる。穀粒乾燥機は、「張込」、「通風」、「乾燥」、「排出」、「停止」という主要動作のボタンを備えており、乾燥工程はそのうち「張込」、「乾燥」、「排出」の工程からなり、それらを順に行う。この工程の内、排出信号を発した以後、即ちこの排出工程と連動して自動的に電動モータ４０の始動信号を送信し、電動モータ４０からの出力軸を９０度程度回転させることで、スペーサピン４２にかみ合ったＬ型結合ロッド４３がスクレーパ部２２ａ以上の距離だけ山型スクレーパ２２を移動させ覆いカバー３３の堆積物を取り除く。「排出工程と連動して」とは、穀粒乾燥機の使用者が操作盤３４の「排出」ボタンを押すことにより出力される排出信号が発せられると同時に電動モータ４０の始動信号を送信する場合と、タイマー等により一定時間をおいた後や、穀粒の張込量が所定量以下になった場合に送信する場合を含む。また、スライド動作は断続的に複数回行うようにし、その動作中は排風ファン７ａを停止する。このように山型スクレーパ２２の操作を行うことにより、乾燥作業時に覆いカバー３３上に堆積したわらくず等を乾燥作業終了後に除去し、それらが残存することを防止できる。
【００２３】
二つ目は操作盤３４の「張込」ボタンを押し、張込工程と連動して行われる。穀粒乾燥機の張込信号を発した以後に、この張込工程に連動して自動的に電動モータ４０の始動信号を送信し、一つ目の操作と同様に山型スクレーパ２２を移動させ覆いカバー３３の堆積物を取り除く。このように山型スクレーパ２２を動作させることにより、前回の乾燥作業時以降に堆積したわらくず等を乾燥作業に移行する前に除去することができ円滑な乾燥作業を行うことができる。また、一つ目の操作も合わせて行うことでより確実に堆積したわらくず等を除去できる。加えて、張込開始から穀粒が所定値（乾燥部が満たされる程度）以上となるまで断続的に山型スクレーパ２２を動かすこともできる。このようにすることで効率よくわらくず等の除去ができ、乾燥作業の効率をより向上できる。
【００２４】
三つ目は操作盤３４に設けた主要動作ボタン以外に、山型スクレーパ２２を動作させるボタンを設け、そのボタンを操作することで山型スクレーパ２２を動作させる方法がある。
【００２５】
なお、山型スクレーパ２２は、電動モータ４０により操作盤３４に近づく方向へ移動した後は、通常電動モータ４０をフリー状態にしスプリング２７の圧縮方向への力により待機位置に帰着させる。山型スクレーパ２２を滑らかに帰着させる場合には、電動モータ４０として位置制御可能なモータを採用し、逆回転の指令を与えてスプリング２７の力と合わせて待機位置に帰着させる。電動モータ４０からの出力軸に設けた二枚の円板４１の間隔は、Ｌ型結合ロッド４３の径よりも若干広くなることにより、Ｌ型結合ロッド４３の姿勢を安定させたまま、二枚の円板４１の間を円滑に動作させることができる。また二枚の円板４１に設けた穴が、スペーサピン４２が自由に回転可能である程度の隙間を有することによりＬ型結合ロッド４３の磨耗が減り、長期間に亘って円滑な動作を行うことが可能となる。
【００２６】
図８は第二実施形態における穀粒乾燥機の側断面図であり、図９は正面断面図、図１０は穀物乾燥機の乾燥部の内部構成を説明する透視斜視図である。
第一実施形態との違いは、山型スクレーパを筒状体である熱風室の分岐頂部に設けた点である。即ち第二実施形態の穀粒乾燥機は、張込み穀粒を貯留する貯留部２と、この貯留部２から穀粒を流下しつつ熱風乾燥する乾燥部３と、この乾燥部３から流下した穀粒を集積する集穀部４とを順次上から重ねて配置し、その集穀部４から前記貯留部２に穀粒を搬送するエレベータ部５を備えた穀粒乾燥機において、前記乾燥部３には、二以上の穀粒流下通路１３を設けるともに、それらの穀粒流下通路１３を挟んで、熱風供給部６から熱風を受ける熱風室１１と、熱風を排出側に案内する排風室１２と、を通気可能に対向して設け、前記穀粒流下通路１３への分岐頂部を山型に形成するとともに、その分岐頂部にスライド動作可能に山型スクレーパ２２を設けたことを特徴とする穀粒乾燥機である。このように構成することで、分岐頂部のわらくずなどの堆積物を除去することができる。また、山型スクレーパ２２上への堆積物も、山型スクレーパ２２を動作させることにより除去することができる。第二実施形態における山型スクレーパ２２の形態は、第一実施形態におけるものと同様である。
【００２７】
図１１は第二実施形態における穀粒乾燥機の正面図の部分拡大図である。山型スクレーパ２２を動作させるために、二本設けたスクレーパサポート２３の内、乾燥部３の前面に近い側に設けたスクレーパサポート２３の中央のケーブル連結部２９に連結部材の一つであるケーブル２４の一端を取り付け、乾燥部３の前面板３ａよりケーブル２４を取り出し、ケーブル２４の他端にスクレーパ動作把持部２６を設ける。穀粒の乾燥作業を行うときは、ケーブル２４及びスクレーパ動作把持部２６は、乾燥部３の前面板３ａを出たところで折り曲げ、乾燥作業の妨げにならないようにケーブル固定プレート２５により固定する。ケーブル２４へのほこりの付着の防止及びそれに接した作業者が火傷をしないように、本ケーブル２４の内、乾燥機外にある部分には被膜を行う。もう一本の乾燥部３の背面に近いスクレーパサポート２３は、第一実施形態と同様、背面板３ｂの内壁とスプリング２７により連結する。山型スクレーパ２２が初期位置にあるとき、スプリング２７は初期長さであり、山型スクレーパ２２を動作させたときに、山型スクレーパ２２を初期位置に戻すような引張力が働くようにする
【００２８】
穀粒の乾燥作業を終了して分岐頂部１１ａの堆積物を取り除く場合、ケーブル固定プレート２５からスクレーパ動作把持部２６を取外し、ケーブル２４が排風室１２筒状体の軸線と平行になるようにスクレーパ動作把持部２６を移動させ、スクレーパ動作把持部２６へ乾燥部３の前面板３ａから離れる方向へ力を付加することにより、穀粒乾燥機機外から山型スクレーパ２２がスライド動作を行うようになる。穀粒乾燥機１の機外から、山型スクレーパ２２をスライド動作させるスクレーパ動作把持部２６と、前記山型スクレーパ２２とを、連結部材であるケーブル２４により結合していることにより、機体の外側から山型スクレーパ２２を動作させることができ堆積物の除去作業が容易になる。
【００２９】
山型スクレーパ２２を初期位置に戻す場合は、スクレーパ動作把持部２６に付加されていた力を除去する。山型スクレーパ２２と、穀流乾燥機の機体の内壁とを、スプリング２７により連結しているので、スプリング２７の収縮力により山型スクレーパ２２が初期位置に自動的に戻るようになる。
【００３０】
第二実施形態においては、スクレーパサポート２３とスクレーパ動作把持部２６をケーブル２４により連結したが、一本の棒により結合することも可能である。この場合、山型スクレーパ２２を収縮力により初期位置に戻すためのスプリング２７は用いる必要は無く、スクレーパ動作把持部２６の押し引きの動作により、山型スクレーパ２２をスライド動作させる。また第一実施形態において、手動で山型スクレーパ２２を動作させる構成とすることが可能であると共に、第二実施形態において、電動モータ４０を用いた構成とすることも可能である。
【００３１】
覆いカバー３３や熱風室１１の分岐頂部１１ａのわらくずなどを除去する別の清掃機構の形態を図１２、図１３に示す。
【００３２】
覆いカバー３３に沿って設ける被動枠５１と、この被動枠５１に垂直に固定した駆動枠５２とからなる清掃枠５０を覆いカバー３３内部に設け、被動枠５１と駆動枠５２の接合部近辺に覆いカバー３３の軸方向と平行に回転軸５３を設ける。駆動枠５２の自由端側におもり５４を設けることにより、清掃枠５０は通常覆いカバー３３に接触した状態で静止している（図１３（ａ））。加えてその駆動枠自由端を持ち上げるカム５５を設ける。カム５５を回転させ、おもり部分が持ち上がると回転軸５３を中心として被動枠５１が覆いカバー３３から離れ（図１３（ｂ））、さらにカム５５を回転させ、おもり部分が通常位置に勢いよく戻ると被動枠５１が覆いカバー３３に叩きつけられる。この動作を繰り返し、振動を与えることで覆いカバー３３や熱風室１１の分岐頂部１１ａ全体のわらくず等を除去することが可能となる。また除去をより容易にできるようにするために覆いカバー３３と被動枠５１とをバネで連結し、カム５５により被動枠５１が覆いカバー３３から離れたときに、被動枠５１が通常位置に戻る方向へ力が働くようにすることも可能である。
【００３３】
穀粒乾燥機の地面に安定的に載置するためのベースプレート５６の実施形態を図１４に示す。（ａ）が平面図、（ｂ）が左側面図、（ｃ）が正面図でありベースプレート５６を網掛け模様で示す。キャスターベース５７の地面と接する部分を従来より小さくすることで、それを受けるベースプレート５６のサイズを小さくし、載置する際のベースプレート５６の取り扱いを容易にした。
【符号の説明】
【００３４】
１  穀粒乾燥機
２  貯留部
３  乾燥部
４  集穀部
５  エレベータ部
６  熱風供給部
７  排風排出部
１１  熱風室
１１ａ  分岐頂部
１２  排風室
２２  山型スクレーパ
３２  遠赤外線放射体
３３  覆いカバー
４０  電動モータ
【図１】
2013120016.tif 000003
【図２】
2013120016.tif 000004
【図３】
2013120016.tif 000005
【図４】
2013120016.tif 000006
【図５】
2013120016.tif 000007
【図６】
2013120016.tif 000008
【図７】
2013120016.tif 000009
【図８】
2013120016.tif 000010
【図９】
2013120016.tif 000011
【図１０】
2013120016.tif 000012
【図１１】
2013120016.tif 000013
【図１２】
2013120016.tif 000014
【図１３】
2013120016.tif 000015
【図１４】
2013120016.tif 000016